(57)【要約】【課題】構造が簡単で、回転操作部の状態が読み取り易い回転操作部用の表示器を提供することを目的とする。【解決手段】操作ハンドル３と共回りする本体６と、本体６に渦巻き状に形成された案内溝７と、案内溝７内に移動可能な状態で収納された重錘体４と、案内溝７の渦巻き状開口を塞ぎ、重錘体４を視認可能な透視カバー８と、回転操作部３の軸１０に回転自在に支持され、軸を通る鉛直方向に窓１３が形成され、本体６を覆う窓付きプレート９と、窓付きプレート９の窓縁部に表記された目盛１４と、一対のウェイト１５とから回転操作部用表示器１を構成した。【選択図】    図１
2004212319.tif 000002
【特許請求の範囲】
【請求項１】
回転操作部と共回りする本体と、
該本体に、渦巻き状に形成された案内溝と、
上記案内溝内に移動可能な状態で収納された重錘体と、
上記回転操作部の軸に回転自在に支持され、軸を通る鉛直方向に窓が形成され、上記本体を覆う窓付きプレートと、
該窓付きプレートの窓あるいは窓の縁部に表記された目盛と、
該目盛が上記軸の下方に鉛直方向に位置するように上記窓付きプレートの姿勢を保持する姿勢保持手段と、からなり、
回転操作部の回転操作に伴って本体が回動して重錘体が自重により案内溝内を移動すると共に、窓付きプレートの窓が鉛直方向に沿って位置して重錘体を窓内に臨ませ、該重錘体と目盛との位置関係により、回転操作部の状態を表示するようにしたことを特徴とする回転操作部用表示器。
【請求項２】
前記窓付きプレートは、案内溝を覆い隠す大きさに形成され、窓内を通してのみ案内溝の一部を視認可能としたことを特徴とする請求項１に記載の回転操作部用表示器。
【請求項３】
回転操作部と共回りする本体と、
該本体に、渦巻き状に形成されて内部に液体を充填した案内流路と、
上記案内流路内に移動可能な状態で収納された浮上指標体と、
上記案内流路の渦巻き状開口を塞いで浮上指標体を外部から視認可能とする透視カバーと、
上記回転操作部の軸に回転自在に支持され、軸を通る鉛直方向に窓が形成され、上記本体を覆う窓付きプレートと、
該窓付きプレートの窓あるいは窓の縁部に表記された目盛と、
該目盛が上記軸の上方に鉛直方向に位置するように上記窓付きプレートの姿勢を保持する姿勢保持手段と、からなり、
回転操作部の回転操作に伴って本体が回動して浮上指標体が浮力により案内流路内を移動すると共に、窓付きプレートの窓が鉛直方向に沿って位置し、浮上指標体と目盛との位置関係により回転操作部の状態を表示するようにしたことを特徴とする回転操作部用表示器。
【請求項４】
前記浮上指標体が気泡であることを特徴とする請求項３に記載の回転操作部用表示器。
【発明の詳細な説明】
【０００１】
【発明の属する技術分野】
本発明は、バルブ操作ハンドルなどの回転操作部の状態を表示する回転操作部用の表示器に関する。
【０００２】
【従来の技術】
従来、回転操作部用の表示器としては、例えば、操作ハンドルの操作面に開閉方向が矢印で表示されたもの（例えば、特許文献１参照。）や、回転操作部の基部にバーニヤを設けたバーニヤタイプの表示器があった。
【０００３】
【特許文献１】
実開昭６２−１３１１８０号公報（第１頁、第４図）
【０００４】
【発明が解決しようとする課題】
しかしながら、上記のような回転操作部の表示器は、どのくらい回転操作を実施したかが表示されなかったり、表示されたとしても操作ハンドルの奥に位置するために操作者側から見え難かったりするものであった。したがって、日常点検作業などにおいて操作者に負担がかかってしまい、回転操作の度合いを誤る虞があった。
【０００５】
本発明は、上記の課題に鑑み提案されたもので、その目的は、構造が簡単で、回転操作部の状態が読み取り易く、操作中でも連続して監視しやすい回転操作部用の表示器を提供することにある。
【０００６】
【課題を解決するための手段】
本発明は上記した目的を達成するために提案されたものであり、請求項１に記載のものは、回転操作部と共回りする本体と、
該本体に、渦巻き状に形成された案内溝と、
上記案内溝内に移動可能な状態で収納された重錘体と、
上記回転操作部の軸に回転自在に支持され、軸を通る鉛直方向に窓が形成され、上記本体を覆う窓付きプレートと、
該窓付きプレートの窓あるいは窓の縁部に表記された目盛と、
該目盛が上記軸の下方に鉛直方向に位置するように上記窓付きプレートの姿勢を保持する姿勢保持手段と、からなり、
回転操作部の回転操作に伴って本体が回動して重錘体が自重により案内溝内を移動すると共に、窓付きプレートの窓が鉛直方向に沿って位置して重錘体を窓内に臨ませ、該重錘体と目盛との位置関係により、回転操作部の状態を表示するようにしたことを特徴とする回転操作部用表示器である。
【０００７】
請求項２に記載のものは、前記窓付きプレートは、案内溝を覆い隠す大きさに形成され、窓内を通してのみ案内溝の一部を視認可能としたことを特徴とする請求項１に記載の回転操作部用表示器である。
【０００８】
請求項３に記載のものは、回転操作部と共回りする本体と、
該本体に、渦巻き状に形成されて内部に液体を充填した案内流路と、
上記案内流路内に移動可能な状態で収納された浮上指標体と、
上記案内流路の渦巻き状開口を塞いで浮上指標体を外部から視認可能とする透視カバーと、
上記回転操作部の軸に回転自在に支持され、軸を通る鉛直方向に窓が形成され、上記本体を覆う窓付きプレートと、
該窓付きプレートの窓あるいは窓の縁部に表記された目盛と、
該目盛が上記軸の上方に鉛直方向に位置するように上記窓付きプレートの姿勢を保持する姿勢保持手段と、からなり、
回転操作部の回転操作に伴って本体が回動して浮上指標体が浮力により案内流路内を移動すると共に、窓付きプレートの窓が鉛直方向に沿って位置し、浮上指標体と目盛との位置関係により回転操作部の状態を表示するようにしたことを特徴とする回転操作部用表示器である。
【０００９】
請求項４に記載のものは、前記浮上指標体が気泡であることを特徴とする請求項３に記載の回転操作部用表示器である。
【００１０】
【発明の実施の形態】
以下、本発明の実施の形態を図面に基づいて説明する。
図１は、本実施形態の回転操作部用表示器１の本体６及び窓付きプレート９を開閉バルブ２の操作ハンドル３（本実施形態における回転操作部）に取り付けた状態を示す正面図であり、図２はその断面図である。また、図３は、本体６のみを開閉バルブ２の操作ハンドル３に取り付けた状態を示す正面図である。さらに、図４は、窓付きプレート９の正面図である。
【００１１】
これらの図面に示すように、本実施形態の回転操作部用表示器１は、中心に貫通孔５を有する円板状の本体６と、該本体６に形成した渦巻き状の案内溝７と、該案内溝７内に転動自在に収納した重錘体４と、重錘体４を視認可能な状態で上記案内溝７の渦巻き状開口を塞ぐ透視カバー８と、操作ハンドル３の軸１０に回転自在に支持され、上記本体６を覆う窓付きプレート９などから構成されている。
【００１２】
本体６は、アルミニウム等の金属やプラスチックなど適宜な材質から形成される円板状の部材であり、開閉バルブ２の操作ハンドル３の軸１０を挿通させる貫通孔５が中心に開設され、この貫通孔５の周りに渦巻き状の案内溝７を、外周縁近傍の始点（外側溝端）Ｓから次第に中心の貫通孔５に近づけて、終点（内側溝端）Ｆまで略３周する状態で形成している。なお、この渦巻き状の案内溝７は、本実施形態では、始点Ｆから左回り（反時計回り）すると曲率を次第に減少させるように構成されている。
【００１３】
案内溝７内に収納された重錘体４は、本実施形態では、この案内溝７内で転動自在となるように球体として形成されている。なお、自重による転動を促進するため、この重錘体４には、鉛球や鋼球等の金属球を採用することが好ましい。また、例えば、球体の表面を樹脂等により被覆することで本体６と異なる色に着色して、金属球である重錘体４が案内溝７の何処に位置しているかを視認し易くしてもよい。
【００１４】
本体６の表面には、案内溝７の渦巻き状開口を塞ぎ、重錘体としての金属球４を視認可能な透明のアクリル円板等の透視カバー８が設けられており、この透視カバー８によって案内溝７内から金属球４が離脱するのを防止している。
【００１５】
そして、本体６は、開閉バルブ２の操作ハンドル３に共回りするように固定されている。この本体６には左回り（反時計回り）の渦巻き状の案内溝７が形成されているので、操作ハンドル３を閉成方向である右回り（時計回り）に回転操作すると、金属球４は渦巻き状の案内溝７の中心部（貫通孔５側）、すなわち案内溝７の内側溝端Ｆへ向けて移動する。一方、操作ハンドル３を開放方向である左回り（反時計回り）に回転操作すると、金属球４は、渦巻き状の案内溝７の内側溝端Ｆから外側溝端Ｓへ向けて移動することになる。
【００１６】
なお、本体６に右回り（時計回り）の渦巻き状の案内溝７を形成した場合には、操作ハンドル３を閉成方向である右回り（時計回り）に回転操作すると、金属球４は渦巻き状の案内溝７の外側溝端Ｓへ向けて移動することになり、一方、操作ハンドル３を開放方向である左回り（反時計回り）に回転操作すると、金属球４は渦巻き状の案内溝７の中心部、すなわち内側溝端Ｆへ向けて移動することになる。
【００１７】
また、本実施形態における渦巻き状の案内溝７の巻き数は、外周縁近傍の始点Ｓから終点Ｆまで略３周となっているが、これに限られるものではなく、開閉バルブ２の軸１０のストローク等により決定される操作ハンドル３の回転数に応じて適宜設定されることが好適である。
【００１８】
本体６を覆う窓付きプレート９は、本体６と同様に、アルミニウム等の金属やプラスチックなど不透明な材質から形成される円板状の部材であり、少なくとも案内溝７を覆い隠し得る大きさに形成され、中心部にベアリング１１を配して、開閉バルブ２の操作ハンドル３に対して回転自在な状態で支持されている。また、この窓付きプレート９は、支持部分（ベアリング１１の内輪）と本体６および透視カバー８との間にスペーサ１２を挟んでおり、本体６や透視カバー８に擦ることなく円滑に回転できるようになっている。
【００１９】
この窓付きプレート９は、下半部分に縦長の長方形状の窓１３を径方向、すなわち中心の孔を通る鉛直方向に沿って開設しており、この窓付きプレート９が本体６を覆って重なるように配すると、窓１３内を通してのみ渦巻き状の案内溝７の一部、及びその内部に収納された金属球４が視認できるように構成されている。なお、この窓１３は、中抜きの開口部として形成されたままでも良く、あるいは、開口部に透明アクリル板等の透明部材を配しても良い。
【００２０】
窓付きプレート９の窓１３は、一側（図中、右側）の縁部に案内溝７の径方向に沿って目盛１４を表記している。この目盛１４は、操作ハンドル３の状態、すなわち回動量が判別できるものであればどのような印でもよく、本実施形態では、案内溝７の内側溝端Ｆを臨ませ得る位置（窓１３の縁部の上側）に「０％」を、外側溝端Ｓを臨ませ得る位置（窓１３の縁部の下側）に「１００％」を、その中間位置に「５０％」を記している。また、窓１３の開口部に透明部材を配設した場合には、この透明部材、すなわち窓１３の内側に目盛１４を記してもよい。
【００２１】
なお、本体６に左回り（反時計回り）の渦巻き状の案内溝７を形成した場合には、案内溝７の内側溝端Ｆを臨ませ得る位置（窓１３の縁部の上側）に「１００％」が、外側溝端Ｓを臨ませ得る位置（窓１３の縁部の下側）に「０％」が、その中間位置に「５０％」が記されることになる。
【００２２】
そして、窓付きプレート９は、窓１３を案内溝７の最下部に対向する状態になる姿勢に付勢する姿勢保持手段として、窓付きプレート９の外周縁近傍における窓１３の両側に一対のウェイト１５を埋め込み、開口した窓１３を常に鉛直方向に沿って下側に配置させている。このようなウェイト１５を設けると、窓付きプレート９は、操作ハンドル３を回転操作してもウェイト１５の重量により窓１３が鉛直方向に沿って軸１０の下方に位置し、自重により転動する重錘体４を窓１３内に常時臨ませて視認可能することができる。
【００２３】
本実施形態の窓付きプレート９は、姿勢保持手段としての一対のウェイト１５を取り付けることで、重心を窓１３に合わせて窓１３から案内溝７内の重錘体が常に見えるようにしたが、これに限るものではなく、窓付きプレート９の重心を軸１０を通る鉛直方向であって軸１０よりも下になればよい。例えば、窓付きプレート９の下半部分を上半部分よりも肉厚にしてもよい。このように窓付きプレート９を形成すれば、ウェイト１５等のような別部品を組み付けることなく、重心を窓の左右中心に位置させることができるので、回転操作部用表示器１の製造コストの低減を図ることができる。
【００２４】
以上の構成からなる回転操作部用表示器１を開閉バルブ２の操作ハンドル３に取り付けるには、図２に示すように、操作ハンドル３から突出した軸１０を本体６の貫通孔５内に挿通し、さらにスペーサ１２を介して窓付きプレート９のベアリング１１内に挿通した上で、窓付きプレート９から突出した軸１０の先端雄ネジ部にナット１６を螺合して操作ハンドル３に固定する。そして、操作ハンドル３を回転操作すると、回転操作部用表示器１の窓付きプレート９は同じ姿勢を保持し、本体６のみが操作ハンドル３と共回りするようになる。
【００２５】
図５に示す状態における開閉バルブ２は、全閉状態であり、この状態において、金属球４は、案内溝７の内側溝端Ｆで停止して、操作ハンドル３が回されていない状態「０％」を指している。
【００２６】
操作ハンドル３を図５中矢印Ａ方向の左回り（反時計回り）に回転すると、回転操作部用表示器１の本体６が操作ハンドル３と共に回転し、これにより案内溝７も回転するが、金属球４は案内溝７内で自重により転動して、その時点における案内溝７内の最下位置に位置する。そして、例えば、開閉バルブ２が半開きの状態となるまで操作ハンドル３を矢印Ａ方向に回転すると、金属球４は、窓縁部に記された目盛１４の「５０％」に近い位置に相対的に移動し、操作ハンドル３が５０％の開度であることを表示する。同様に、操作ハンドル３を矢印Ａ方向に回転可能限界まで回転すると、開閉バルブ２が全開であることを意味する「１００％」を指し示す。
【００２７】
逆に、操作ハンドル３を図６中矢印Ｂ方向の右回り（時計回り）に回転すると、金属球４が案内溝７内を戻り移動して、前記と同様に、その時点における操作ハンドル３の状態を指し示す。
【００２８】
したがって、窓付きプレート９の窓１３を介して金属球４が指し示す窓縁部の目盛１４を読み取ると、操作ハンドル３の回動量を視覚で把握することができ、これにより開閉バルブ２の開閉状態を確認することができる。そして、渦巻き状の案内溝７は、その大部分が窓付きプレート９によって覆い隠されており、窓１３内を通してのみ見える状態なので、金属球４を即座に見い出して回動量を惑うことなく読み取ることができる。
【００２９】
なお、本実施形態では、窓１３の一側縁部に記した目盛１４を開閉バルブ２の開度（０〜１００％）で表しているが、これに限るものではなく、操作ハンドル３の回転数や開閉角度で表してもよい。
【００３０】
また、重錘体は、自重により案内溝７内を移動するものであればどのような材質、形状でもよい。例えば、金属球４に代えて鉱物製或いは金属製のコマ（図示せず）を重錘体として、案内溝７内で滑動するようにしてもよい。
【００３１】
そして、一般的に、開閉バルブ２の軸１０は、配管１７の方向に対して直交する方向、すなわち水平方向に突出しているので、配管方向が縦方向であろうと横方向であろうと、図２に示す状態で使用することができる。しかし、配管方向が横方向で隣接する配管がある場合には、図７に示すように、軸１０を斜め上方へ傾けると回転操作ハンドル３の回転面が傾き、この状態であれば金属球４などの重錘体が自重で案内溝７内を移動することができ、窓１３もウェイト１５により窓付きプレート９の下部に位置することになる。したがって、配管方向が横方向で隣接する配管がある場合でも、本発明に係る回転操作部用表示器１を操作ハンドル３に固定するだけで、開閉バルブ２の開閉状態を表示することができる。
【００３２】
ところで、上記した実施形態においては、重錘体４が自重で案内溝７内を移動することで、開閉バルブ２の開度を表示していたが、本発明はこれに限定されない。例えば、図８および図９に示すように、浮上指標体によって開度を表示する表示器でもよい。
【００３３】
図８および図９に示す第２実施形態の回転操作部用表示器２１は、液体の浮力を利用したものであり、中心部分に貫通孔２３を有する円盤状の本体２４と、該本体２４に渦巻き状に形成した案内流路２５と、該案内流路２５内に充填した水やアルコールなどの液体と、上記案内流路２５内に移動可能な状態で収納された浮上指標体としての気泡２６と、案内流路２５の渦巻き状開口を塞いで浮上指標体を外部から視認可能とする透視カバー２８と、操作ハンドル３の軸１０に回転自在に支持され、上記本体２４を覆う窓付きプレート２９などから構成されている。
【００３４】
本体２４は、アルミニウム等の金属やプラスチックなど適宜な材質からなる円盤状の部材であり、操作ハンドル３の軸１０を通す貫通孔２３を中心に開設し、この貫通孔２３の周りに、外周縁近傍の始点（外側流路端）Ｓ´から次第に中心の貫通孔２３に近づけて、終点（内側流路端）Ｆ´まで略３周する渦巻き状の溝を形成し、この溝の渦巻き状開口を透視カバー２８で液密状に塞いで渦巻き状の案内流路２５を形成している（図１０参照）。なお、本体２４と透視カバー２８との間には、案内流路２５内に充填した液体が漏出しないように、シール材（図示せず）により封止してある。
【００３５】
そして、本体２４は、開閉バルブ２の操作ハンドル３に、該操作ハンドル３と共回りするように固定されている。この本体２４には左回り（反時計回り）の渦巻き状の案内流路２５が形成されているので、操作ハンドル３を閉成方向である右回り（時計回り）に回転操作すると、気泡２６は渦巻き状の案内流路２５の中心部（貫通孔２３側）、すなわち内側流路端Ｆ´へ向けて移動する。一方、操作ハンドル３を開放方向である左回り（反時計回り）に回転操作すると、気泡２６は、内側流路端Ｆ´から外側流路端Ｓ´へ向けて移動することになる。
【００３６】
なお、本体２４に右回り（時計回り）の渦巻き状の案内流路２５を形成した場合には、操作ハンドル３を閉成方向である右回り（時計回り）に回転操作すると、気泡２６は外側流路端Ｓ´へ向けて移動することになり、一方、操作ハンドル３を開放方向である左回り（反時計回り）に回転操作すると、気泡２６は内側流路端Ｆ´へ向けて移動することになる。
【００３７】
気泡２６は、後述する窓付きプレート２９の目盛３４を指し示す指標として機能するものであるので、容易に視認できる大きさであるが、大きすぎるとどの目盛３４を指しているか曖昧になるので、案内流路２５の幅程度であることが望ましい。また、この気泡２６は、空気に限らず、液体に対して不溶性であればどのような組成の気体の泡でも良い。例えば、窒素ガスの泡でもよい。さらに、気泡２６に代えて案内流路２５内に充填した液体よりも比重が軽い球体やコマ等を浮上指標体としてもよい。
【００３８】
そして、窓付きプレート２９は、基本的には前記実施形態の窓付きプレート９と同じ構成であるが、窓の位置が異なる。具体的に説明すると、第２実施形態の窓付きプレート２９は、上半部分に長方形状の窓３３を径方向、すなわち中心の孔を通る鉛直方向に沿って開設しており、この窓付きプレート９が本体２４を覆って重なるように配した場合に、窓３３から渦巻き状の案内溝７の一部、及びその内部を浮遊する気泡が視認し得るように構成されている。
【００３９】
そして、第２実施形態の窓３３も、第１実施形態における窓１３と同様に一側（図中、右側）の縁部に渦巻き状の案内流路２５の径方向に沿って目盛３４を表記している。この目盛３４は、操作ハンドル３の状態、すなわち回動量が判別できるものであればどのような印でもよく、本実施形態では、案内流路２５の内側流路端Ｆ´を臨ませ得る位置（窓３３の縁部の下側）に「０％」を、外側溝端Ｓ´を臨ませ得る位置（窓３３の縁部の上側）に「１００％」を、その中間位置に「５０％」を記している。また、この窓３３についても、透明部材を開口部に配して、この透明部材、すなわち窓３３の内側に目盛３４を記してもよい。
【００４０】
なお、本体２４に左回り（反時計回り）の渦巻き状の案内流路２５を形成した場合には、内側溝端Ｆ´を臨ませ得る位置（窓１３の縁部の上側）に「１００％」が、外側溝端Ｓ´を臨ませ得る位置（窓１３の縁部の下側）に「０％」が、その中間位置に「５０％」が記されることになる。
【００４１】
そして、窓付きプレート２９は、窓３３を案内流路２５の最上部に対向する状態になる姿勢に付勢する姿勢保持手段として、窓３３とは反対側の外周縁近傍にウェイト３５を埋め込んでいる。このようなウェイト３５を設けると、窓付きプレート２９は、操作ハンドル３を回転操作してもウェイト３５の重量により窓３３が鉛直方向に沿って軸１０の上方に垂直に位置し、液体の浮力によって移動する気泡２６を窓３３内に常時臨ませて視認可能な状態にすることができる。
【００４２】
本実施形態では、窓３３を鉛直方向に沿って軸１０の上方に位置させるウェイト３５は窓付きプレート２９内に埋め込まれているが、姿勢保持手段はこれに限らず、窓付きプレート２９の重心を軸１０を通る鉛直方向であって軸１０よりも下方になればよい。例えば、窓付きプレート２９の下半部分を上半部分よりも肉厚にしてもよい。このように窓付きプレート２９を形成すれば、ウェイト３５を埋め込むことなく、重心を窓の左右幅の中心に位置させることができるので、回転操作部用表示器２１の製造コストの低減を図ることができる。また、窓３３を中抜きの開口部として形成したり、あるいは、開口部に窓付きプレート２９を形成する材質よりも密度が小さい透明部材を配したりしてもよい。
【００４３】
以上の構成からなる回転操作部用表示器２１を開閉バルブ２の操作ハンドル３に取り付けるには、図９に示すように、操作ハンドル３から突出した軸１０を本体２４の貫通孔２３内に挿通し、さらにスペーサ１２を介して窓付きプレート２９のベアリング１１内に挿通した上で、窓付きプレート２９から突出した軸１０の先端雄ネジ部にナット１６を螺合して操作ハンドル３に固定する。これにより操作ハンドル３を回転操作すると、回転操作部用表示器１の窓付きプレート２９は同じ姿勢を保持しつつ、本体２４のみが操作ハンドル３と共回りするようになる。
【００４４】
図８に示す状態における開閉バルブ２は、全開状態であり、この状態において、気泡２６は、案内流路２５の外側流路端Ｓ´で停止して、操作ハンドル３を回し切った状態「１００％」を指している。
【００４５】
操作ハンドル３を図８中矢印Ｃ方向の右回り（時計回り）に回転すると、回転操作部用表示器１の本体２４が操作ハンドル３と共に回転し、これにより案内流路２５も回転するが、気泡２６は案内流路２５内で最も高い位置に浮上しながら移動する。そして、例えば、開閉バルブ２が半開きの状態となるまで操作ハンドル３を矢印Ｃ方向に回転すると、気泡２６は、窓３３の縁部に記された目盛３４の「５０％」に近い位置に相対的に移動し、操作ハンドル３が５０％の開度であることを表示する。同様に、操作ハンドル３を矢印Ｃ方向に回転可能限界まで回転すると、開閉バルブ２が全閉であることを意味する「０％」を指し示す。
【００４６】
逆に、操作ハンドル３を図８中矢印Ｄ方向の左回り（反時計回り）に回転すると、気泡２６が案内流路２５内を戻り移動して、前記と同様に、その時点における操作ハンドル３の状態を指し示す。
【００４７】
したがって、窓付きプレート２９の窓３３を介して気泡２６が指し示す窓縁部の目盛３４を読み取ると、操作ハンドル３の回動量を視覚で把握することができ、これにより開閉バルブ２の開閉状態を確認することができる。
【００４８】
なお、本実施形態では、窓３３の一側縁部に記した目盛３４を開閉バルブ２の開度（０〜１００％）で表しているが、これに限るものではなく、操作ハンドル３の回転数や開閉角度で表してもよい。
【００４９】
そして、前記した各実施形態では、回転操作部用表示器１，２１を回転操作部に取り付ける構成として、回転操作ハンドル３から突出した軸１０を貫通孔５，２３に貫通してナット１２で固定したが、これに限定されるものではなく、本体６，２４を操作ハンドル３にビス留めするなど、他の公知の固定手段を用いて固定してもよい。また、回転操作部用表示器１，２１は、回転操作部と一体化してもよい。
【００５０】
また、上記の実施形態では、開閉バルブ２の操作ハンドル３の開度を表示するための表示器として説明したが、本発明における回転操作部用表示器は、これに限定されるものではなく、回転操作部であればどのような用途のものであっても使用することができる。例えば、水門の開閉操作ハンドルに取り付けてもよい。
【００５１】
【発明の効果】
以上説明したように、本発明によれば、回転操作部の操作者側に向けて取り付けることができるので、表示が読み取り易い。また、窓を設けることで、操作者が見るべき表示器の場所を確認し易くなっており、回転操作部を操作している最中でも連続して監視し易い。したがって、日常点検作業などにおいて作業の容易化を図ることができ、しかも構成が簡単なので安価に製造することができる。
【００５２】
また、本発明に係る回転操作部用表示器を、例えば、開閉バルブの操作ハンドルに取り付けて使用すると、操作ハンドルの回転量に応じて開閉バルブの開度を明確に表示することができるので、弁開閉ネジのピッチの大小に拘わらず微小開度を正確かつ連続的に表示することができ、また、開度が読み取り易い。そして、取扱説明書で開閉バルブの開度を指示した場合、操作ミスを低減させることもできる。
【図面の簡単な説明】
【図１】第１実施形態の回転操作部用表示器の本体及び窓付きプレートを開閉バルブの操作ハンドルに取り付けた状態を示す正面図である。
【図２】第１実施形態の回転操作部用表示器の本体及び窓付きプレートを開閉バルブの操作ハンドルに取り付けた状態を示す断面図である。
【図３】第１実施形態の回転操作部用表示器の本体を開閉バルブの操作ハンドルに取り付けた状態を示す正面図である。
【図４】第１実施形態の回転操作部用表示器の本体上に配する窓付きプレートを示す正面図である。
【図５】第１実施形態の回転操作部用表示器が開閉バルブの閉成状態を示す場合の正面図である。
【図６】第１実施形態の回転操作部用表示器が開閉バルブの全開状態を示す場合の正面図である。
【図７】配管方向が横方向で隣接する配管がある場合において、開閉バルブ及び第１実施形態の回転操作部用表示器の取り付け状態を示す側面図である。
【図８】第２実施形態の回転操作部用表示器の本体及び窓付きプレートを開閉バルブの操作ハンドルに取り付けた状態を示す正面図である。
【図９】第２実施形態の回転操作部用表示器の本体及び窓付きプレートを開閉バルブの操作ハンドルに取り付けた状態を示す断面図である。
【図１０】第２実施形態の回転操作部用表示器の本体を開閉バルブの操作ハンドルに取り付けた状態を示す正面図である。
【符号の説明】
１  回転操作部用表示器
２  開閉バルブ
３  操作ハンドル
４  金属球（重錘体）
５  貫通孔
６  本体
７  案内溝
８  透視カバー
９  窓付きプレート
１０  軸
１１  ベアリング
１２  スペーサ
１３  窓
１４  目盛
１５  ウェイト
１６  ナット
１７  配管
２１  回転操作部用表示器
２３  貫通孔
２４  本体
２５  案内流路
２６  気泡
２８  透視カバー
２９  窓付きプレート
３３  窓
３４  目盛
３５  ウェイト
【図１】
2004212319.tif 000003
【図２】
2004212319.tif 000004
【図３】
2004212319.tif 000005
【図４】
2004212319.tif 000006
【図５】
2004212319.tif 000007
【図６】
2004212319.tif 000008
【図７】
2004212319.tif 000009
【図８】
2004212319.tif 000010
【図９】
2004212319.tif 000011
【図１０】
2004212319.tif 000012